(57)【要約】  【課題】  操作部をブラインドの本体から簡単に取り外しすることができると共に、ブラインドの本体に取り付けたときには操作部の取付強度を確保することができるブラインドとする。  【解決手段】  ブラインド支持部材２１またはブラインド支持部材２１に対して固定の固定面に受けプレート１６が設けられ、スラットの動作を操作可能な操作部３０が該受けプレート１６に対して着脱可能に設けられ、操作部３０は弾性によって固定される状態に付勢され、該弾性による付勢力に抗して受けプレート１６から離脱される。【選択図】  図６
2005344484.tif 000002
【特許請求の範囲】
【請求項１】
ブラインド支持部材（２１）またはブラインド支持部材（２１）に対して固定の固定面に受け部（１６）が設けられ、遮蔽材（２４）の動作を操作可能な操作部（３０）が該受け部（１６）に対して着脱可能に設けられ、操作部（３０）は弾性によって固定される状態に付勢され、該弾性による付勢力に抗して受け部（１６）から離脱されることを特徴とするブラインド。
【請求項２】
受け部（１６）及び操作部（３０）のいずれか一方に係合部(４２ａ，４４ｂ，４４−１ｂ，１６−２ｃ，４４−８ｂ)が形成され、他方に係合部(４２ａ，４４ｂ，４４−１ｂ，１６−２ｃ，４４−８ｂ)が係合可能な係合受け部(１６ｃ，１６−１ｃ，１６ｄ，４４−２ｂ，１６−８ｃ)が形成されることを特徴とする請求項１記載のブラインド。
【請求項３】
前記係合部(４２ａ，４４ｂ，４４−１ｂ，１６−２ｃ，４４−８ｂ)及び係合受け部(１６ｃ，１６−１ｃ，１６ｄ，４４−２ｂ，１６−８ｃ)はそれぞれ一対形成されて、該一対の係合部(４２ａ，４４ｂ，４４−１ｂ，１６−２ｃ，４４−８ｂ)または該一対の係合受け部(１６ｃ，１６−１ｃ，１６ｄ，４４−２ｂ，１６−８ｃ)が弾性によって離反または接近する方向に付勢されることを特徴とする請求項２記載のブラインド。
【請求項４】
操作部または受け部に押圧部（４４ｃ，４４−１ｃ，４４−２ｃ，４４−８ｃ，１８ｂ）が形成され、該押圧部（４４ｃ，４４−１ｃ，４４−２ｃ，４４−８ｃ，１８ｂ）が押圧されたときに、付勢力に抗して操作部（３０）が受け部（１６）から離脱されることを特徴とする請求項１ないし３のいずれか１項に記載のブラインド。
【請求項５】
ブラインド支持部材（２１）またはブラインド支持部材（２１）に対して固定の固定面に受け部（１６−５）が設けられ、遮蔽材（２４）の動作を操作可能な操作部（３０−５）が該受け部（１６−５）に対して着脱可能に設けられ、受け部（１６−５）及び操作部（３０−５）のいずれか一方に係合部（４２−５ａ）が形成され、他方に係合部（４２−５ａ）と互いに整合された状態で係合部（４２−５ａ）が挿入可能な係合受け部（１６−５ｃ）が形成され、係合部（４２−５ａ）が係合受け部（１６−５ｃ）に挿入後に所定角度相対回転または所定量相対移動されることによって操作部（３０−５）が受け部（１６−５）に固定される状態となることを特徴とするブラインド。
【請求項６】
ブラインド支持部材（２１）またはブラインド支持部材（２１）に対して固定の固定面に受け部（１６−７）が設けられ、遮蔽材（２４）の動作を操作可能な操作部（３０−７）が該受け部（１６−７）に対して着脱可能に設けられ、受け部（１６−７）及び操作部（３０−７）のいずれか一方に係合部（４２−７ａ）が形成され、他方に係合部（４２−７ａ）が係合可能な係合受け部（１６−７ｃ）が形成され、係合部（４２−７ａ）が係合受け部（１６−７ｃ）に係合後に所定角度相対回転または所定量相対移動されることによって操作部（３０−７）が受け部（１６−７）に固定される状態となることを特徴とするブラインド。
【請求項７】
ブラインド支持部材（２１）またはブラインド支持部材（２１）に対して固定の固定面に受け部（１６−３，１６−４）が設けられ、遮蔽材（２４）の動作を操作可能な操作部（３０−３，３０−４）が該受け部（１６−３，１６−４）に対して着脱可能に設けられ、受け部（１６−３，１６−４）及び操作部（３０−３，３０−４）のいずれか一方に第１磁性体（２３）が設けられ、他方に第２磁性体（３６）が設けられ、第１磁性体（２３）と第２磁性体（３６）とが磁力により吸引されることにより、操作部（３０−３，３０−４）が受け部（１６−３，１６−４）に固定される状態になることを特徴とするブラインド。
【請求項８】
ブラインド支持部材（２１）またはブラインド支持部材（２１）に対して固定の固定面に受け部（１６−３，１６−４）が設けられ、遮蔽材（２４）の動作を操作可能な操作部（３０−３，３０−４）が該受け部（１６−３，１６−４）に対して着脱可能に設けられ、受け部（１６−３，１６−４）及び操作部（３０−３，３０−４）のいずれか一方に係合部（４２−３ａ，１６−４ａ）が形成され、他方に係合部（４２−３ａ，１６−４ａ）が係合可能な係合受け部（１６−３ｃ，４０−４ａ）が形成されると共に、受け部（１６−３，１６−４）及び操作部（３０−３，３０−４）のいずれか一方に第１磁性体（２３）が設けられ、他方に第２磁性体（３６）が設けられ、係合部（４２−３ａ，１６−４ａ）が係合受け部（１６−３ｃ，４０−４ａ）に係合すること及び第１磁性体（２３）と第２磁性体（３６）とが磁力により吸引されることにより、操作部（３０−３，３０−４）が受け部（１６−３，１６−４）に固定される状態になり、操作部（３０−３，３０−４）には手掛け部（４０−３ｃ，４４−４ｃ）が設けられ、手掛け部（４０−３ｃ，４４−４ｃ）を手前に移動させることによって、手掛け部とは相反する位置で係合している係合部（４２−３ａ，１６−４ａ）または係合受け部（１６−３ｃ，４０−４ａ）を支点として操作部（３０−３，３０−４）が回動可能となっており、該操作部（３０−３，３０−４）の回動により前記磁力による吸引力が減少されることを特徴とするブラインド。
【請求項９】
前記操作部（３０）からの操作力を磁力を介してブラインド支持部材（２１）へと伝達することを特徴とする請求項１ないし８のいずれか１項に記載のブラインド。
【請求項１０】
前記操作部（３０）には手掛け部（４４ｃ）が設けられ、手掛け部（４４ｃ）を手前に移動させることによって、手掛け部（４４ｃ）とは相反する位置を支点として操作部が回動可能となっており、該操作部（３０）の回動により前記磁力による吸引力が減少されることを特徴とする請求項９に記載のブラインド。
【発明の詳細な説明】
【技術分野】
【０００１】
本発明は、操作部が着脱可能となったブラインドに関する。
【背景技術】
【０００２】
従来、この種のブラインドとしては、特許文献１（特開２００３−１８４４５６号公報）に示されるものが知られている。このブラインドでは、ブラインドを操作するために支持枠から垂れ下がっている操作コードに対して、操作コードの伸張方向に急激な力が作用したときに、分解する着脱可能な安全具を操作コードに配置している。操作コードが窓の近傍で下方にヒラヒラと垂れ下がっていると、時として歩行者に絡みつくことがあり、歩行者が転倒するおそれがあるが、このブラインドでは、そのような場合に、安全具が分解するので転倒事故を防ぐことができるようになっている。
【０００３】
しかしながら、上記構成では、操作コードが人に絡みついて急激な力が作用しないと安全具が分解せず、絡みつき自体を防ぐことができない、という問題がある。
【０００４】
また、特許文献２（特公平３−５５６３８号公報）では、ロール網戸から操作部としてのブラケットを取り外し可能としており、具体的には、網戸を巻取り保持する網保持ロールを回転可能に収納する保持ロールに、巻取操作機構が組み込まれ回転出力取出部を有するブラケットが左右両端から着脱可能に連結可能とされ、回転出力取出部と網保持ロールとが直接または間接的に連結されるようになっている。具体的には、網保持ロールの端部に係止用突起部または嵌合孔を設け、回転出力取出部に嵌合孔または係止用突起部を設けて、係止用突起部に嵌合孔を係合させる態様等が例示される。
【０００５】
また、特許文献３（特開平６−２４０９６３号公報）では、絶縁ガラスフレーム内にブラインドを配置して電動作動装置によってブラインドを操作させるものにおいて、電動作動装置は、絶縁ガラスフレームの内側に載置され、且つ作動システムに直接接続される第１の磁石と、絶縁ガラスフレームの外側に載置される第２の外部磁石とスクリュー・ナット運動系とを含み、スクリュー・ナット運動系は、両面テープなどで絶縁ガラスフレームに取り外し可能に固定されるようになっている。
【０００６】
しかしながら、特許文献２または特許文献３の構成では、操作部が着脱可能となっているものの、着脱の操作性や取付強度については十分なものとは言えない、という問題がある。
【０００７】
また、特許文献３は、ガラスフレームを構成する一対のガラス板が１つのアルミニウムフレームによって支持される構成となっているが、引き違い式のサッシにそれぞれブラインドを内蔵した場合には、特許文献３のようにサッシより手前側に操作部が設けられると、一方側の操作部に他方側のサッシ枠端部が衝突して操作部を破損させるおそれがあり、操作部が邪魔になって、サッシを全くまたは一部しか開けることができず、サッシ裏面全体の清掃をすることが困難になるという問題がある。
【０００８】
【特許文献１】特開２００３−１８４４５号公報
【特許文献２】特公平３−５５６３８号公報
【特許文献３】特開平６−２４０９６３号公報
【発明の開示】
【発明が解決しようとする課題】
【０００９】
本発明はかかる課題に鑑みなされたもので、操作部をブラインドの本体から簡単に取り外しすることができると共に、ブラインドの本体に取り付けたときには操作部の取付強度を確保することができるブラインドを提供することをその目的とする。また、サッシにブラインドを内蔵したような場合においても、操作部がサッシに衝突することを防ぎ、操作部によってサッシの開閉を阻害することのないブラインドを提供することをその目的とする。
【課題を解決するための手段】
【００１０】
前述した目的を達成するために、請求項１記載の発明は、ブラインド支持部材またはブラインド支持部材に対して固定の固定面に受け部が設けられ、遮蔽材の動作を操作可能な操作部が該受け部に対して着脱可能に設けられ、操作部は弾性によって固定される状態に付勢され、該弾性による付勢力に抗して受け部から離脱されることを特徴とする。
【００１１】
請求項２記載の発明は、請求項１に記載のものにおいて、受け部及び操作部のいずれか一方に係合部が形成され、他方に係合部が係合可能な係合受け部が形成されることを特徴とする。
【００１２】
請求項３記載の発明は、請求項２に記載のものにおいて、前記係合部及び係合受け部はそれぞれ一対形成されて、該一対の係合部または該一対の係合受け部が弾性によって離反または接近する方向に付勢されることを特徴とする。
【００１３】
請求項４記載の発明は、請求項１ないし３のいずれか１項に記載のものにおいて、操作部または受け部に押圧部が形成され、該押圧部が押圧されたときに、付勢力に抗して操作部が受け部から離脱されることを特徴とする。
【００１４】
請求項５記載の発明は、ブラインド支持部材またはブラインド支持部材に対して固定の固定面に受け部が設けられ、遮蔽材の動作を操作可能な操作部が該受け部に対して着脱可能に設けられ、受け部及び操作部のいずれか一方に係合部が形成され、他方に係合部と互いに整合された状態で係合部が挿入可能な係合受け部が形成され、係合部が係合受け部に挿入後に所定角度相対回転または所定量相対移動されることによって操作部が受け部に固定される状態となることを特徴とする。
【００１５】
請求項６記載の発明は、ブラインド支持部材またはブラインド支持部材に対して固定の固定面に受け部が設けられ、遮蔽材の動作を操作可能な操作部が該受け部に対して着脱可能に設けられ、受け部及び操作部のいずれか一方に係合部が形成され、他方に係合部が係合可能な係合受け部が形成され、係合部が係合受け部に係合後に所定角度相対回転または所定量相対移動されることによって操作部が受け部に固定される状態となることを特徴とする。
【００１６】
請求項７記載の発明は、ブラインド支持部材またはブラインド支持部材に対して固定の固定面に受け部が設けられ、遮蔽材の動作を操作可能な操作部が該受け部に対して着脱可能に設けられ、受け部及び操作部のいずれか一方に第１磁性体が設けられ、他方に第２磁性体が設けられ、第１磁性体と第２磁性体とが磁力により吸引されることにより、操作部が受け部に固定される状態になることを特徴とする。
【００１７】
請求項８記載の発明は、ブラインド支持部材またはブラインド支持部材に対して固定の固定面に受け部が設けられ、遮蔽材の動作を操作可能な操作部が該受け部に対して着脱可能に設けられ、受け部及び操作部のいずれか一方に係合部が形成され、他方に係合部が係合可能な係合受け部が形成されると共に、受け部及び操作部のいずれか一方に第１磁性体が設けられ、他方に第２磁性体が設けられ、係合部が係合受け部に係合すること及び第１磁性体と第２磁性体とが磁力により吸引されることにより、操作部が受け部に固定される状態になり、操作部には手掛け部が設けられ、手掛け部を手前に移動させることによって、手掛け部とは相反する位置で係合している係合部または係合受け部を支点として操作部が回動可能となっており、該操作部の回動により前記磁力による吸引力が減少されることを特徴とする。
【００１８】
請求項９記載の発明は、請求項１ないし８のいずれか１項に記載のものにおいて、前記操作部からの操作力を磁力を介してブラインド支持部材へと伝達することを特徴とする。
【００１９】
請求項１０記載の発明は、請求項９に記載のものにおいて、前記操作部には手掛け部が設けられ、手掛け部を手前に移動させることによって、手掛け部とは相反する位置を支点として操作部が回動可能となっており、該操作部の回動により前記磁力による吸引力が減少されることを特徴とする。
【発明の効果】
【００２０】
請求項１ないし４記載の発明によれば、弾性によって操作部が受け部に固定されるために、取付強度を確保することができ、また、操作部を取り外すときには、弾性による付勢力に抗することにより操作部を受け部から離脱することができるので、簡単に着脱できる。また、簡単に操作部を取り外すことができるために、ブラインドを動作させる必要のないときには取り外しておくことで、意匠性を向上させ、操作部への絡みつきなどを未然に防ぐこともできる。さらには、サッシに操作部を取り付ける場合には、操作部を離脱させてサッシの開閉をスムーズに行なわせることもできて、サッシの清掃を完全に行なうことができる。
【００２１】
請求項５または６記載の発明によれば、操作部を受け部に対して回転または移動させることによって操作部が受け部に固定されるために、取付強度を確保することができ、また、操作部を取り外すときには、操作部を再び回転又は移動させることにより受け部から離脱することができるので、簡単に着脱できる。また、簡単に操作部を取り外すことができるために、ブラインドを動作させる必要のないときには取り外しておくことで、意匠性を向上させ、操作部への絡みつきなどを未然に防ぐこともできる。さらには、サッシに操作部を取り付ける場合には、操作部を離脱させてサッシの開閉をスムーズに行なわせることもできて、サッシの清掃を完全に行なうことができる。
【００２２】
請求項７記載の発明によれば、磁力によって操作部が受け部に固定されるために、取付強度を確保することができ、また、操作部を取り外すときには、操作部を移動して磁力を弱めることにより受け部から離脱することができるので、簡単に着脱できる。また、簡単に操作部を取り外すことができるために、ブラインドを動作させる必要のないときには取り外しておくことで、意匠性を向上させ、操作部への絡みつきなどを未然に防ぐこともできる。さらには、サッシに操作部を取り付ける場合には、操作部を離脱させてサッシの開閉をスムーズに行なわせることもできて、サッシの清掃を完全に行なうことができる。
【００２３】
請求項８記載の発明によれば、係合部と係合受け部との係合および第１磁性体と第２磁性体との磁力によって操作部が受け部に固定されるために、取付強度を確保することができ、また、操作部を取り外すときには、操作部の手掛け部を手前に移動して磁力を減少させることにより受け部から離脱することができるので、簡単に着脱できる。また、簡単に操作部を取り外すことができるために、ブラインドを動作させる必要のないときには取り外しておくことで、意匠性を向上させ、操作部への絡みつきなどを未然に防ぐこともできる。さらには、サッシに操作部を取り付ける場合には、操作部を離脱させてサッシの開閉をスムーズに行なわせることもできて、サッシの清掃を完全に行なうことができる。
【００２４】
請求項９記載の発明によれば、操作力を伝達させるための磁力が、操作部を受け部に固定させるための取付強度に寄与するために、より取付強度を高めることができる。
【００２５】
請求項１０記載の発明によれば、手掛け部によって、操作部を回動させると磁力が減少されるために、磁力が強い場合であっても簡単に取り外すことができる。
【発明を実施するための最良の形態】
【００２６】
以下、図面を用いて本発明の実施の形態を説明する。
【００２７】
（第１実施形態）
図１及び図２は本発明の実施形態にかかるブラインドの全体図である。図示の例は、２枚のガラス板１２，１２内にブラインド２０を配設した例であり、２枚のガラス板１２，１２はフレーム１４に支持されて、サッシ１０を構成している。ブラインド２０の操作を行なう操作部３０は、ガラス板１２の外側に配設される。
【００２８】
ブラインド２０は、この例ではベネシャンタイプのブラインドであり、サッシ１０内で固定されるブラインド支持部材２１と、ブラインド支持部材２１から垂下されるラダーコード２２と、該ラダーコード２２によって整列状態に支持される多数のスラット２４と、ブラインド支持部材２１から垂下されてスラット２４の下方に配置されるボトムレール２６に連結される昇降コード２８と、を有している。そして、ブラインド支持部材２１に内蔵されるラダーコード駆動装置と、昇降コード駆動装置とによって、ラダーコード２２と昇降コード２８とがそれぞれ駆動され、ブラインド２０の遮蔽材としてのスラット２４が回転及び昇降動作をすることができるようになっている。但し、ブラインド２０としては、必ずしもこのベネシャンタイプに限るものではなく、任意のタイプ（ロールスクリーン、プリーツスクリーン、ローマンシェード、縦型ブラインド等）のブラインドとすることが可能である。また、ブラインド支持部材２１としては、ベネシャンブラインドとしてヘッドボックス、その他のブラインドとしてセットフレーム、ヘッドレール等が挙げられる。
【００２９】
ブラインド２０のブラインド支持部材２１の所定の部分に対応するガラス板１２の所定部分に、ブラインド支持部材２１に内蔵される前記ラダーコード駆動装置及び昇降コード駆動装置を駆動操作するための操作部３０が配置される。このブラインド支持部材の構成と操作部とは、例えば、特許第３２４３５３４号に記載された磁気連結機構を使用することができ、ブラインド支持部材２１内に第１磁性体としての永久磁石付きディスクを配置し、操作部３０内にこの永久磁石付きディスクの磁力によって吸引される第２磁性体としての永久磁石付きディスク３６（図５参照）を配置している。そして、操作部３０は、ケース３２と、ケース３２内に配置されて、永久磁石付きディスク３６に連結されたプーリと、該プーリに巻き掛けられて操作部３０のケース３２から垂下される操作コード３４を備えている。操作コード３４を操作することにより、プーリを介して永久磁石付きディスクが回転して、さらに磁力によりブラインド支持部材２１内の永久磁石付きディスクが同期して回転するようになっている。
【００３０】
さて、本実施形態では、操作部３０がブラインド２０及びガラス板１２に対して着脱可能となっており（図３参照）、ブラインド支持部材２１に対して固定のガラス板１２の前記所定位置には、受け部を構成する受けプレート１６が固着されている。受け部は、サッシ１０からなるべく突出しないような形状となっていることが望ましい。
【００３１】
図４（ｂ）に示すように、受けプレート１６には上下に前方方向に突出する突出部１６ａ、１６ｂが形成されており、突出部１６ａ、１６ｂにはそれぞれ第１係合孔１６ｃ、第２係合孔１６ｄが形成されている。
【００３２】
これに対して、操作部３０のケース３２は、詳細には、第１ケース４０と、第２ケース４２と、着脱操作体４４とからなり、第１ケース４０と第２ケース４２とは、ネジによって一体的に結合されるのに対して、着脱操作体４４は、第１ケース４０及び第２ケース４２の下方において、これらに対して上下にスライド可能に配置される。そして、図５に示すように、着脱操作体４４に形成された係止片４４ａが第１ケース４０の溝４０ａに嵌め込まれており、該溝４０ａの肩部に係止することで、着脱操作体４４が抜け止めされている。また、第１ケース４０と着脱操作体４４との間には、スプリング４６が介挿されており、第１ケース４０と着脱操作体４４とを互いに離反する方向へと付勢している。
【００３３】
そして、第２ケース４２の上部には上方へと突出する第１係合部４２ａが形成され、着脱操作体４４の下部には下方へと突出する第２係合部４４ｂが形成されている。
【００３４】
操作部３０を受けプレート１６に固定するためには、操作部３０の第１係合部４２ａを受けプレート１６の第１係合孔１６ｃに下方から挿入した後、着脱操作体４４を受けプレート１６に接近させると、第２係合部４４ｂが突出部１６ｂと干渉し着脱操作体４４が第１ケース４０に対して摺動して、操作部３０の第２係合部４４ｂが受けプレート１６の第２係合孔１６ｄに上方から挿入する。するとスプリング４６による弾性により、第１係合部４２ａと第２係合部４４ｂが第１係合孔１６ｃと第２係合孔１６ｄに係合された状態に付勢されて、操作部３０が受けプレート１６に固定された状態に維持される（図６参照）。
【００３５】
さらに、この実施形態では、操作部３０内の永久磁石付きディスク３６が、ブラインド支持部材２１内の永久磁石付きディスクによって磁力によって吸引されるために、操作部３０が受けプレート１６により一層確実に固定された状態に維持される。
【００３６】
一方、ブラインド２０の操作を行なわないとき、またはサッシ１０の清掃を行なうときなど、操作部３０を取り外す必要がある場合には、着脱操作体４４の正面にある押圧部及び手掛け部としてのプッシュプレート４４ｃを上方に持ち上げて、スプリング４６の付勢力に抗して第２係合部４４ｂを第２係合孔１６ｄから外して、プッシュプレート４４ｃを手前に引いて、図７に示すように、プッシュプレート４４ｃと相反する位置にある第１係合部４２ａを中心として操作部３０を回動させる。この手前に引く動作により、永久磁石付きディスク同士の吸引力を弱め、てこの原理を利用して、永久磁石付きディスク同士の吸引力に抗して、簡単に操作部３０を受けプレート１６から離脱させることができる。
【００３７】
このように、操作部３０の着脱操作は簡単であり、且つスプリング４６による弾性によって確実に操作部３０を受けプレート１６に固定された状態に維持することができる。
【００３８】
操作部３０が離脱されたサッシ１０は、フレーム１４と操作部３０とが衝突することがないので、サッシ１０を引き違いでスムーズに移動させることができ、清掃などを完全に行なうことができる。
【００３９】
（第２実施形態）
次に、図８は、本発明の第２の実施形態による操作部３０−１及び受け部としての受けプレート１６−１を表す図である。
【００４０】
図に示すように、受けプレート１６−１にはその左右に前方方向に突出する突出部１６−１ａ、１６−１ａが形成されており、各突出部１６−１ａにはそれぞれ係合孔１６−１ｃが形成されている。
【００４１】
これに対して、操作部３０−１のケース３２−１は、詳細には、第１ケース４０−１と、該第１ケース４０−１と一体的に結合される第２ケース４２−１（図８（ｃ））と、第１ケース４０−１の両側部にそれぞれ設けられた一対の着脱操作体４４−１、４４−１（図８（ｃ））とからなり、着脱操作体４４−１、４４−１は、第１ケース４０−１に対して左右にスライド可能に配置される。各着脱操作体４４−１は、第１ケース４０−１から出没可能となった係合部４４−１ｂと、係合部４４−１ｂと並んで、第１ケース４０−１から同様に出没可能となったプッシュボタン４４−１ｃとを有している。一対の着脱操作体４４−１、４４−１との間にはスプリング４６−１が介挿されて両者を互いに離反する方向に付勢しており、よって、各着脱操作体４４−１の係合部４４−１ｂ及びプッシュボタン４４−１ｃは可能な限り第１ケース４０−１から突出される。
【００４２】
操作部３０−１を受けプレート１６−１に固定するためには、プッシュボタン４４−１ｃを第１ケース４０−１内へと押し込みながら、操作部３０−１を受けプレート１６−１の方向へと正面から真っ直ぐに移動させた後、プッシュボタン４４−１ｃの押圧を解除して受けプレート１６−１の突出部１６−１ａの係合孔１６−１ｃに係合部４４−１ｂを挿入する。するとスプリング４６−１による弾性により、係合部４４−１ｂが係合孔１６−１ｃに係合された状態に付勢されて、操作部３０−１が受けプレート１６−１に固定された状態に維持される。
【００４３】
一方、ブラインド２０の操作を行なわないとき、またはサッシ１０の清掃を行なうときなど、操作部３０−１を取り外す必要がある場合には、着脱操作体４４−１のプッシュボタン４４−１ｃを第１ケース４０−１内へと押し込みながら、手前に引く動作により、スプリング４６−１の付勢力に抗して係合部４４−１ｂを係合孔１６−１ｃから外して、簡単に操作部３０−１を受けプレート１６−１から離脱させることができる。
【００４４】
このように、操作部３０−１の着脱操作は簡単であり、且つスプリング４６−１による弾性によって確実に操作部３０−１を受けプレート１６−１に固定された状態に維持することができる。
【００４５】
（第２実施形態の変形例）
次に、図９は、本発明の第２の実施形態の変形例を表す図である。この変形例では、受けプレート１６−１の突出部１６−１ａ及び係合孔１６−１ｃが受けプレート１６の上下に形成されており、操作部３０−１の着脱操作体４４−１が上下に設けられている点で、第２実施形態と相違するが、同様に作用するので、その詳細説明は省略する。
【００４６】
（第３実施形態）
次に、図１０は、本発明の第３の実施形態による操作部３０−２及び受け部としての受けプレート１６−２を表す図である。
【００４７】
図に示すように、受けプレート１６−２の上部にはその左右に前方方向に突出する係合部１６−２ｃが形成されており（図１０（ｅ）参照、一方の係合部１６−２ｃのみ示す）、係合部１６−２ｃの基部は小径部分となっている。
【００４８】
これに対して、操作部３０−２のケース３２−２は、詳細には、第１ケース４０−２と、該第１ケース４０−２と一体的に結合される第２ケース４２−２（図１０（ｃ））と、第１ケース４０−２の側部にそれぞれ設けられた一対の着脱操作体４４−２、４４−２（図１０（ｃ））とからなり、着脱操作体４４−２、４４−２は、第１ケース４０−２に対して左右にスライド可能に配置される。各着脱操作体４４−２は、係合孔４４−２ｂと、第１ケース４０−２から出没可能となったプッシュボタン４４−２ｃとを有している。係合孔４４−２ｂは、小径部分と大径部分とが連結した形状をなしている。
【００４９】
一対の着脱操作体４４−２、４４−２との間にはスプリング４６−２が介挿されて両者を互いに離反する方向に付勢しており、よって、各着脱操作体４４−２のプッシュボタン４４−２ｃは可能な限り第１ケース４０−２から突出される。
【００５０】
操作部３０−２を受けプレート１６−２に固定するためには、プッシュボタン４４−２ｃを第１ケース４０−２内へと押し込みながら、操作部３０−２を受けプレート１６−２の方向へと正面から真っ直ぐに移動させて、受けプレート１６−２の係合部１６−２ｃを係合孔４４−２ｂの大径部分に挿入する。そして、プッシュボタン４４−２ｃの押し込み力を解除すると、スプリング４６−２による弾性により、係合部１６−２ｃの小径部分が係合孔４４−２ｂの小径部分に移動して、係合部４４−２ｂが係合孔１６−２ｃに係合された状態に付勢されて、操作部３０−２が受けプレート１６−２に固定された状態に維持される。
【００５１】
一方、ブラインド２０の操作を行なわないとき、またはサッシ１０の清掃を行なうときなど、操作部３０−２を取り外す必要がある場合には、着脱操作体４４−２のプッシュボタン４４−２ｃを第１ケース４０−２内へと押し込みながら、手前に引く動作により、スプリング４６−２の付勢力に抗して、係合部１６−２ｃの小径部分を係合孔４４−２ｂの大径部分に移動させて、係合孔４４−２ｂを係合部１６−２ｃから外して、簡単に操作部３０−２を受けプレート１６−２から離脱させることができる。
【００５２】
このように、操作部３０−２の着脱操作は簡単であり、且つスプリング４６−２による弾性によって確実に操作部３０−２を受けプレート１６−２に固定された状態に維持することができる。
【００５３】
（第４実施形態）
図１１は、本発明の第４の実施形態による操作部３０−３及び受け部としての受けプレート１６−３を表す図である。
【００５４】
受けプレート１６−３にはその上部に前方方向に突出する突出部１６−３ａが形成されており、突出部１６−３ａには係合孔１６−３ｃが形成されている。
【００５５】
操作部３０−３のケース３２−３は、詳細には、第１ケース４０−３と、該第１のケース４０−３と一体的に結合される第２ケース４２−３（図１１（ｂ））と、からなり、第２ケース４２−３の上部には、フック状の係合部４２−３ａが形成されている。
【００５６】
操作部３０−３を受けプレート１６−３に固定するためには、操作部３０−３の係合部４２−３ａを受けプレート１６−３の係合孔１６−３ｃに係合させて引っ掛けて、操作部３０−３全体を受けプレート１６−３に接近させると、操作部３０−３内の永久磁石付きディスク３６が、ブラインド支持部材２１内の永久磁石付きディスク２３の磁力によって吸引されるために、操作部３０−３が受けプレート１６−３に固定された状態に維持される。
【００５７】
尚、この例では、動力を伝達するための永久磁石付きディスク３６が設けられているが、磁力によって動力を伝達しない場合には、別途、操作部３０−３内に磁石等の第１磁性体を内蔵し、受けプレート１６−３またはブラインド支持部材２１内に、該第１磁性体に吸引される第２磁性体を対向して設けるとよい。
【００５８】
一方、ブラインド２０の操作を行なわないとき、またはサッシ１０の清掃を行なうときなど、操作部３０−３を取り外す必要がある場合には、第１ケース４０−３の正面下方にある手掛け部４０−３ｃを手前に引いて、図１１（ｃ）に示すように、手掛け部４０−３ｃと相反する位置にある係合部４２−３ａを中心として操作部３０−３を回動させる。この手前に引く動作により、永久磁石付きディスク同士の吸引力を弱め、てこの原理を利用して、永久磁石付きディスク同士の吸引力に抗して、簡単に操作部３０−３を受けプレート１６−３から離脱させることができる。
【００５９】
このように、操作部３０−３の着脱操作は簡単であり、且つフック状の係合部４２−３ａと磁力による吸引力によって確実に操作部３０−３を受けプレート１６−３に固定された状態に維持することができる。
【００６０】
（第５実施形態）
図１２は、本発明の第５の実施形態による操作部３０−４及び受け部としての受けプレート１６−４を表す図である。
【００６１】
受けプレート１６−４にはその上部に前方方向に突出するフック状の係合部１６−４ａ（図１２（ｄ））が形成されている。
【００６２】
操作部３０−４のケース３２−４は、詳細には、第１ケース４０−４と、該第１ケース４０−４と一体的に結合される第２ケース４２−４と、着脱操作体４４−４とからなり、着脱操作体４４−４は、第１ケース４０−４の下部において回転可能に軸支されている。そして、第２ケース４２−４の上部には、係合孔４０−４ａが形成されている。
【００６３】
操作部３０−４を受けプレート１６−４に固定するためには、操作部３０−４の係合孔４０−４ａを受けプレート１６−４の係合部１６−４ａに係合させて引っ掛けて、操作部３０−４全体を受けプレート１６−４に接近させると、操作部３０−４内の永久磁石付きディスク３６が、ブラインド支持部材２１内の永久磁石付きディスクの磁力によって吸引されるために、操作部３０−４が受けプレート１６−４に固定された状態に維持される。
【００６４】
尚、この例では、動力を伝達するための永久磁石付きディスク３６が設けられているが、磁力によって動力を伝達しない場合には、別途、操作部３０−４内に磁石等の第１磁性体を内蔵し、受けプレート１６−４またはブラインド支持部材２１内に、該第１磁性体に吸引される第２磁性体を対向して設けるとよい。
【００６５】
一方、ブラインド２０の操作を行なわないとき、またはサッシ１０の清掃を行なうときなど、操作部３０−４を取り外す必要がある場合には、着脱操作体４４−４の正面にある手掛け部としてのプッシュプレート４４−４ｃを手前に引くと、着脱操作体４４−４が回転し、後方へと突出して、受けプレート１６との間を離反させるので、図１２（ｄ）に示すように、手掛け部４４−４ｃと相反する位置にある係合孔４０−４ａを中心として操作部３０−４が回動する。この着脱操作体４４−４による離反動作により、永久磁石付きディスク同士の吸引力を弱め、てこの原理を利用して、永久磁石付きディスク同士の吸引力に抗して、簡単に操作部３０−４を受けプレート１６−４から離脱させることができる。
【００６６】
このように、操作部３０−４の着脱操作は簡単であり、且つフック状の係合部１６−４ａと磁力による吸引力によって確実に操作部３０−４を受けプレート１６−４に固定された状態に維持することができる。
【００６７】
（第６実施形態）
図１３は、本発明の第６の実施形態による操作部３０−５及び受け部としての受けプレート１６−５を表す図である。
【００６８】
受けプレート１６−５にはその中央部に前方方向に突出する突出部１６−５ａが形成されており、突出部１６−５ａの中央部には係合孔１６−５ｃが形成されている。
【００６９】
これに対して、操作部３０−５のケース３２−５は、詳細には、第１ケース４０−５と、該第１ケース４０−５と一体的に結合される第２ケース４２−５とからなり、第２ケース４２−５の裏面側には係合部４２−５ａが形成されている。
【００７０】
操作部３０−５を受けプレート１６−５に固定するためには、操作部３０−５の係合部４２−５ａを受けプレート１６−５の係合孔１６−５ｃに整合させて挿入した後、回転させる。これにより、係合部４２−５ａの形状と係合孔１６−５ｃとの形状が非整合となるため、係合部４２−５ａは係合孔１６−５ｃから抜け出ることが不可能となり、操作部３０−５が受けプレート１６−５に固定された状態に維持される。
【００７１】
一方、ブラインド２０の操作を行なわないとき、またはサッシ１０の清掃を行なうときなど、操作部３０−５を取り外す必要がある場合には、固定するときと反対の動作で、操作部３０−５を受けプレート１６−５から離脱させることができる。
【００７２】
このように、操作部３０−５の着脱操作は簡単であり、且つ操作部３０−５の回転操作によって確実に操作部３０−５を受けプレート１６−５に固定された状態に維持することができる。
【００７３】
（第７実施形態）
図１４は、本発明の第７の実施形態による操作部３０−６及び受け部としての受けプレート１６−６を表す図である。
【００７４】
図に示すように、受けプレート１６−６には、操作部３０−６を上下にスライド可能に案内する一対のガイド溝１６−６ａと、ガイド溝１６−６ａの下方にあって受けプレート１６−６の本体に軸支された揺動可能なレバー１８と、揺動可能なレバー１８を付勢するスプリング１９とが設けられている。スプリング１９は、レバー１８の先端の係合部１８ａがガイド溝１６−６ａの内方へと移動するようにレバー１８を付勢している。
【００７５】
操作部３０−６のケース３２−６には、ガイド溝１６−６ａにスライド可能に嵌め込まれるフランジ３２−６ａが形成されている。また、ケース３２−６の側面には係合孔３２−６ｂが形成されている。
【００７６】
操作部３０−６を受けプレート１６−６に固定するためには、レバー１８の係合部１８ａと相反する位置にある押圧部１８ｂをスプリング１９に抗して押圧して、係合部１８ａが邪魔にならない位置に移動させた後、操作部３０−６のフランジ３２−６ａを一対のガイド溝１６−６ａの内側に挿入して、上方へと操作部３０−６を移動させる。その後、レバー１８への力を解除すると、スプリング１９による弾性により、係合部１８ａが操作部３０−６の係合孔３２−６ｂと係合して、操作部３０−６を支持するために、操作部３０−６が受けプレート１６−６に固定された状態に維持される。
【００７７】
一方、ブラインド２０の操作を行なわないとき、またはサッシ１０の清掃を行なうときなど、操作部３０−６を取り外す必要がある場合には、レバー１８の押圧部１８ｂを上方に持ち上げて、スプリング１９の付勢力に抗して係合部１８ａを一対のガイド溝１６−６ａの外側に移動することにより、操作部３０−６を下方へと移動させることができ、操作部３０−６を受けプレート１６−６から離脱させることができる。
【００７８】
このように、操作部３０−６の着脱操作は簡単であり、且つスプリング１９による弾性によって確実に操作部３０−６を受けプレート１６−６に固定された状態に維持することができる。
【００７９】
（第８実施形態）
図１５は、本発明の第８の実施形態による操作部３０−７及び受け部としての受けプレート１６−７を表す図である。
【００８０】
受けプレート１６−７にはその上部に突出部１６−７ａが下部に係合受け部１６−７ｂが形成されており、突出部１６−７ａに係合孔１６−７ｃが形成されている。
【００８１】
これに対して、操作部３０−７のケース３２−７は、詳細には、第１ケース４０−７と、該第１ケース４０−７と一体的に結合される第２ケース４２−７とからなり、第２ケース４２−７の上部には上方へと突出する係合部４２−７ａが形成され、第１ケース４０−７の下部には下方へと突出する板バネ受け部４０−７ａが形成されている。板バネ受け部４０−７ａには、板バネ４４−７の一端が軸支されている。板バネ４４−７はその中央で折曲自在となっている。
【００８２】
操作部３０−７を受けプレート１６−７に固定するためには、操作部３０−７の係合部４２−７ａを受けプレート１６−７の係合孔１６−７ｃに整合させ、板バネ４４−７の他端を係合受け部１６−７ｂに係合した後（図１５（ｂ））、操作部３０−７を移動させて、所定角度だけ回転させる。これにより、板バネ４４−７が変形して安定し、操作部３０−７が受けプレート１６−７に固定された状態に維持される。
【００８３】
一方、ブラインド２０の操作を行なわないとき、またはサッシ１０の清掃を行なうときなど、操作部３０−７を取り外す必要がある場合には、固定するときと反対の動作で、操作部３０−７を受けプレート１６−７から離脱させることができる。
【００８４】
このように、操作部３０−７の着脱操作は簡単であり、且つ操作部３０−７の移動操作によって確実に操作部３０−７を受けプレート１６−７に固定された状態に維持することができる。
【００８５】
（他の実施形態）
以上の実施形態は、主として、操作部とブラインド支持部材との間において、操作部からの操作力が磁力を介してブラインド支持部材内の駆動装置に伝達される例について説明したが、本発明はこれに限定されるものではない。
【００８６】
操作部からの操作力がブラインド支持部材へと機械的連結によって伝達される例を図１６に示す。図１６の操作部とブラインド支持部材との固定は、第２実施形態による構成を利用したものであり（もちろん他の実施形態の構成としてもよい。）、ブラインド支持部材２１の端部に設けられた受け部１６−８にはその左右に前方方向に突出する突出部１６−８ａ、１６−８ａが形成されており、各突出部１６−８ａにはそれぞれ係合孔１６−８ｃが形成されている。また、操作部３０−８のケース３２−８の左右には、着脱操作体４４−８が出没可能に設けられており、それぞれの着脱操作体４４−８の係合部４４−８ｂ及びプッシュボタン４４−８ｃは、スプリング４６−８によってケース３２−８から突出するように付勢されている。
【００８７】
さらに、操作部３０−８は、ケース３２−８内部からブラインド支持部材２１に向って伸びる伝達軸３８を有している。
【００８８】
操作部３０−８の係合部４４−８ｂが受け部１６−８の係合孔１６−８ｃに係合されて、操作部３０−８が受け部１６−８に固定されると同時に、伝達軸３８は受け部１６−８を貫通して、ブラインド支持部材２１内の駆動軸に連結されるようになっている。こうして、操作部３０−８の操作力を伝達軸３８を介してブラインドへと伝達することができる。
【００８９】
また、図１６に示したように、操作部３０−８にブラインド支持部材２１内へ伸びて駆動軸と嵌合する伝達軸３８を設ける代わりに、操作部３０−８にブラインド支持部材２１内から伸びる伝達軸と嵌合する受けを設けることも可能である。または、伝達軸の嵌合による連結の他に、ギヤの噛み合いによる連結とすることも可能である。
【００９０】
また、ブラインド支持部材などの固定面と受け部とを、別個の部品として例示しているが、ブラインド支持部材などの固定面に受け部を一体化して形成してもよい。
【００９１】
このように以上の各実施形態では、操作部が受けプレートまたは受け部に簡単に着脱でき、且つ操作部を取り付けた後は、操作部の全変位を確実に阻止するように取付強度が確保されるために、操作部を操作したときに、操作部が動いたり外れたりすることがない。また、簡単に操作部を取り外すことができるために、ブラインドを動作させる必要のないときには、取り外しておくことで、意匠性を向上させ、操作部への絡みつきなどを防ぐこともできる。さらには、サッシに操作部を取り付ける場合には、操作部を離脱させてサッシの開閉をスムーズに行なわせることもできて、サッシの清掃を完全に行なうことができる。
【図面の簡単な説明】
【００９２】
【図１】本発明の実施形態にかかるブラインドの全体正面図である。
【図２】図１のブラインドの２−２線に沿って見た断面図である。
【図３】操作部を取り外した状態を表す図１のブラインドの全体正面図である。
【図４】（ａ）操作部の正面図、（ｂ）受けプレートの側面図である。
【図５】操作部の背面図である。
【図６】操作部の部分断面側面図である。
【図７】操作部を取り外す途中を表す部分断面側面図である。
【図８】本発明の第２の実施形態による操作部及び受け部としての受けプレートを表す図であり、（ａ）は正面図、（ｂ）は側面図、（ｃ）は背面図、（ｄ）は操作部を取り外すときの正面図、（ｅ）は操作部を取り外すときの側面図、（ｅ）は操作部を取り外すときの背面図である。
【図９】本発明の第２の実施形態の変形例による操作部及び受け部としての受けプレートを表す図であり、（ａ）は正面図、（ｂ）は側面図、（ｃ）は背面図、（ｄ）は操作部を取り外すときの正面図、（ｅ）は操作部を取り外すときの側面図、（ｅ）は操作部を取り外すときの背面図である。
【図１０】本発明の第３の実施形態による操作部及び受け部としての受けプレートを表す図であり、（ａ）は正面図、（ｂ）は側面図、（ｃ）は背面図、（ｄ）は操作部を取り外すときの正面図、（ｅ）は操作部を取り外すときの側面図、（ｅ）は操作部を取り外すときの背面図である。
【図１１】本発明の第４の実施形態による操作部及び受け部としての受けプレートを表す図であり、（ａ）は操作部の側面図、（ｂ）は操作部の背面図、（ｃ）は操作部を取り外す途中を表す側面図である。
【図１２】本発明の第５の実施形態による操作部及び受け部としての受けプレートを表す図であり、（ａ）は正面図、（ｂ）は部分断面側面図、（ｃ）は背面図、（ｄ）は操作部を取り外すときの側面図である。
【図１３】本発明の第６の実施形態による操作部及び受け部としての受けプレートを表す斜視図である。
【図１４】本発明の第７の実施形態による操作部及び受け部としての受けプレートを表す斜視図である。
【図１５】本発明の第８の実施形態による操作部及び受け部としての受けプレートを表す部分断面側面図である。
【図１６】本発明の他の実施形態による操作部及び受け部を表す斜視図である。
【符号の説明】
【００９３】
１６，１６−１,１６−２，１６−３，１６−４，１６−５，１６−６,１６−７  受けプレート（受け部）
１６−８  受け部
１６ｃ，１６−１ｃ，１６−２ｃ，１６−３ｃ，１６−５ｃ，１６−７ｃ，１６−８ｃ  係合孔（係合受け部）
１６−４ａ  係合部
１６ｄ  係合孔（係合受け部）
１８ａ  係合部
１８ｂ  押圧部
２０  ブラインド
２１  ブラインド支持部材
２４  スラット（遮蔽材）
３０，３０−１,３０−２，３０−３，３０−４，３０−５，３０−６，３０−８  操作部
４０−３ｃ  手掛け部
４０−４ａ  係合孔（係合受け部）
４２ａ，４２−３ａ，４２−５ａ  係合部
４４ｂ，４４−１ｂ，４４−８ｂ  係合部
４４−２ｂ  係合孔（係合受け部）
４４ｃ  プッシュプレート（押圧部、手掛け部）
４４−１ｃ，４４−２ｃ，４４−８ｃ  プッシュボタン（押圧部）
４４−４ｃ  プッシュプレート（手掛け部）
【図１】
2005344484.tif 000003
【図２】
2005344484.tif 000004
【図３】
2005344484.tif 000005
【図４】
2005344484.tif 000006
【図５】
2005344484.tif 000007
【図６】
2005344484.tif 000008
【図７】
2005344484.tif 000009
【図８】
2005344484.tif 000010
【図９】
2005344484.tif 000011
【図１０】
2005344484.tif 000012
【図１１】
2005344484.tif 000013
【図１２】
2005344484.tif 000014
【図１３】
2005344484.tif 000015
【図１４】
2005344484.tif 000016
【図１５】
2005344484.tif 000017
【図１６】
2005344484.tif 000018